(57)【要約】      （修正有）【課題】被貼付面から剥がしたときに粘着剤が被貼付面に残らず、被貼付面を粘着剤で汚すことがなく、また手切れ性が良好な両面粘着テープを提供する。【解決手段】両面粘着テープ１０は、プラスチックシート１３と、このプラスチックシート１３の一方の面に積層接着され被貼付面から再剥離可能な第１粘着剤層１１と、プラスチックシート１３の他方の面に積層接着され貼付物から再剥離不能な第２粘着剤層１２とを備え、プラスチックシート１３は、少なくとも幅方向に０．５Ｎ〜２．０Ｎの力で引裂き可能なシートである。【選択図】図１
0003214591.tif 000002
【実用新案登録請求の範囲】
【請求項１】
プラスチックシートと、
前記プラスチックシートの一方の面に積層接着され被貼付面から再剥離可能な第１粘着剤層と、
前記プラスチックシートの他方の面に積層接着され貼付物から再剥離不能な第２粘着剤層と
を備え、
前記プラスチックシートが少なくとも幅方向に０．５Ｎ〜２．０Ｎの力で引裂き可能なシートである両面粘着テープ。
【請求項２】
前記被貼付面が被保護面又は壁面であり、前記貼付物が養生パネル又は壁紙である請求項１記載の両面粘着テープ。
【考案の詳細な説明】
【技術分野】
【０００１】
本考案は、引っ越し時や新築時の室内の壁面等の被保護面を養生するため、即ち被保護面を保護するための養生パネル（プラスチックダンボール等）を被保護面に一時的に貼付ける場合や、賃貸住宅の壁面に壁紙を剥離可能に貼付ける場合に適した両面粘着テープに関するものである。
【背景技術】
【０００２】
従来、平織りの交差部が熱融着されたポリオレフィン系樹脂よりなるフラットヤーン織布を基材とし、この基材の両面に粘着剤が塗布された両面粘着テープが開示されている（例えば、特許文献１参照。）。この両面粘着テープでは、粘着剤として、アクリル系樹脂、天然ゴム、合成ゴム、シリコン系樹脂等のものが使用可能である。また、両面粘着テープは、主に内装、土木工事等施工に用いられる。
【０００３】
このように構成された両面粘着テープでは、平織りの交差点が熱融着されたポリオレフィン系樹脂よりなるフラットヤーン織布を基材とし、この基材の両面に粘着剤が塗布されているので、手切れ性が良い。また、適度の伸びを有してフィット性が良いため、施工性に優れる。
【先行技術文献】
【特許文献】
【０００４】
【特許文献１】特開平０６−３３６５７８号公報（請求項１、段落［０００１］、［０００９］、［００１９］、図１）
【考案の概要】
【考案が解決しようとする課題】
【０００５】
しかし、上記従来の特許文献１に示された両面粘着テープでは、引っ越し時に両面粘着テープにより室内の壁面等の被保護面に養生パネルを貼付けると、搬送する家具等の接触による被保護面の損傷を防止できるけれども、引っ越しが完了して養生パネルを被保護面から剥がすとき、両面粘着テープの粘着剤が被保護面に残ってしまい、被保護面を汚すおそれがあった。
【０００６】
本考案の目的は、粘着テープを被貼付面から剥がしたときに粘着剤が被貼付面に残らず、被貼付面を粘着剤で汚すことがなく、また手切れ性が良好である、両面粘着テープを提供することにある。
【課題を解決するための手段】
【０００７】
本考案の第１の観点は、図１に示すように、プラスチックシート１３と、このプラスチックシート１３の一方の面に積層接着され被貼付面から再剥離可能な第１粘着剤層１１と、プラスチックシート１３の他方の面に積層接着され貼付物から再剥離不能な第２粘着剤層１２とを備え、プラスチックシート１３が、少なくとも幅方向に０．５Ｎ〜２．０Ｎの力で引裂き可能なシートである両面粘着テープである。
【０００８】
本考案の第２の観点は、第１の観点に基づく考案であって、更に被貼付面が被保護面又は壁面であり、貼付物が養生パネル又は壁紙であることを特徴とする。
【考案の効果】
【０００９】
本考案の第１の観点の両面粘着テープでは、この粘着テープを第２粘着剤層を介して貼付物に再剥離不能に貼付けた後に、この貼付物を第１粘着剤層を介して被貼付面に再剥離可能に貼付けることにより、或いは粘着テープを第１粘着剤層を介して被貼付面に再剥離可能に貼付けた後に、この被貼付面に第２粘着剤層を介して貼付物に再剥離不能に貼付けることにより、貼付物を被貼付面から剥がすときに、第１粘着剤層の粘着剤が被貼付面に残らないので、被貼付面を第１粘着剤層の粘着剤で汚すことはない。また、プラスチックシートが、少なくとも幅方向に０．５Ｎ〜２．０Ｎの力で引裂き可能なシートであるので、粘着テープを所定の長さに比較的容易に引裂くことができ、手切れ性が良好である。
【００１０】
本考案の第２の観点の両面粘着テープでは、被貼付面が被保護面であり、貼付物が養生パネルである場合、粘着テープを第２粘着剤層を介して養生パネルに再剥離不能に貼付けた後に、この養生パネルを第１粘着剤層を介して被保護面に再剥離可能に貼付けることにより、養生パネルを被保護面から剥がすときに、第１粘着剤層の粘着剤が被保護面に残らないので、被保護面を第１粘着剤層の粘着剤で汚すことはない。また、被貼付面が壁面であり、貼付物が壁紙である場合、粘着テープを第２粘着剤層を介して壁紙裏面に再剥離不能に貼付けた後に、壁面に第１粘着剤層を介して壁紙を再剥離可能に貼付けることにより、壁紙を壁面から剥がすときに、第１粘着剤層の粘着剤が壁面に残らないので、壁面を第１粘着剤層の粘着剤で汚すことはない。
【図面の簡単な説明】
【００１１】
【図１】本考案実施形態の両面粘着テープを示す図２のＡ部拡大断面図である。
【図２】その両面粘着テープを巻き芯に巻き付けてその一部を引出した状態を示す粘着テープの側面図である。
【考案を実施するための形態】
【００１２】
次に本考案を実施するための形態を図面に基づいて説明する。図１に示すように、両面粘着テープ１０は、プラスチックシート１３と、このプラスチックシート１３の一方の面に積層接着された第１粘着剤層１１と、プラスチックシート１３の他方の面に積層接着された第２粘着剤層１２とを備える。上記プラスチックシート１３は、少なくとも幅方向に０．５Ｎ〜２．０Ｎの力で引裂き可能なシート、即ち手切れ可能なシートであることが好ましい。手切れ可能なシートとしては、例えば、脆弱部（ 手切れ部） を含む樹脂フィルム、一軸延伸樹脂フィルム、織物（ 樹脂クロスを含む） 等が挙げられる。手切れ性を確保する手段としては、特に制限はなく、例えば、脆弱部（ 凹部、ミシン目等） を利用してもよいし、樹脂フィルムの延伸方向を利用してもよいし、或いは布を構成する繊維の方向（ 縦糸方向、横糸方向等） を利用してもよい。なお、支持基材は、単層構造であってもよいし、２層以上の積層構造であってもよい。
【００１３】
上記プラスチックシート１３の引裂き強さ（Ｎ）は、ＪＩＳ  Ｚ０２３７に準じて測定される。具体的には、プラスチックシート１３は、規定した方向に長さ約７６ｍｍ、幅６３±０．５ｍｍのものを規定した枚数を採る。幅６３ｍｍ以下のテープ及びシートについては，同一ロットの原反から幅６３ｍｍ以上のテープ及びシートを採り、試料とする。プラスチックシート１３を重ね合せるときは、タルクなどを打粉して互いに粘着しないようにする。試験装置は、ＪＩＳ  Ｐ８１１６に規定する引裂き試験機を用いる。試験方法は、ＪＩＳ  Ｐ８１１６に規定する方法によって行う。そして、１枚当たりのプラスチックシート１３の引裂きに要する力を、次の式（１）によって算出する。また、１回の引裂きに使用したプラスチックシート１３の枚数を記録する。
Ｔ＝（Ａ×ｐ）／（ｎ×１０００）    …………（１）
ここで、式（１）において、Ｔは引裂き強さ（Ｎ）であり、Ａは平均の目盛の読み（ｍＮ）であり、ｐは振り子の目盛の基準となるプラスチックシート１３の重ね枚数（通常１６枚）であり、ｎは同時に引裂かれるプラスチックシート１３の枚数である。
【００１４】
一方、第１粘着剤層１１は被貼付面（被保護面）から再剥離可能に構成される。プラスチックシート１３が第１粘着剤層１１を介して被貼付面に接着された状態でプラスチックシート１３を被貼付面から引き剥がしたときに第１粘着剤層１１の粘着剤が被貼付面に残ることなく、全てプラスチックシート１３に付着するように構成される。ここで、被貼付面としては、家屋の室内の壁面、ドア面、窓面、床面、天井面等が挙げられる。このような特性を有する第１粘着剤層１１の粘着剤としては、アクリル系粘着剤、ゴム系粘着剤、シリコーン系粘着剤、ウレタン系粘着剤等の再剥離タイプの粘着剤が挙げられる。
【００１５】
また、第２粘着剤層１２は第１粘着剤層１１よりも強粘着であり、貼付物から再剥離不能に構成される。貼付物としては、養生パネル、壁紙等が挙げられ、養生パネルとしては、プラスチック製の中空シート（プラスチックダンボール、プラダン、ダンプラ、プラベニヤ、プラベニと呼ばれる。）、プラスチック製のボード等が挙げられる。このような特性を有する第２粘着剤層１２の粘着剤としては、アクリル系粘着剤、ゴム系粘着剤、シリコーン系粘着剤、ウレタン系粘着剤等の強粘着タイプの粘着剤が挙げられる。
【００１６】
一方、この実施の形態では、第１粘着剤層１１の表面に離型紙１４が剥離可能に積層接着される（図１）。そして、プラスチックシート１３、第１粘着剤層１１、第２粘着剤層１２及び離型紙１４からなる積層体１５が円筒状の巻き芯１６に巻き付けられる（図２）。
【００１７】
このように構成された両面粘着テープ１０を用いて被貼付面（被保護面）に養生パネルを一時的に貼付ける手順を説明する。先ず、両面粘着テープ１０を巻き芯１６から所定の長さだけ引出し（図２）、手で引裂いて切る。このとき、プラスチックシート１３は手切れ性可能なシートであるため、粘着テープ１０を比較的容易に引裂くことができ、手切れ性が良好である。次に、この所定の長さに切った粘着テープ１０を養生パネルの裏面に第２粘着剤層１２を介して貼付ける。上記作業を繰り返して養生パネルの裏面に所定の枚数の粘着テープ１０を第２粘着剤層１２を介して貼付ける。これにより複数の粘着テープ１０が養生パネルの裏面に再剥離不能に貼付けられる。更に、粘着テープ１０の剥離紙１４を剥がして、養生パネルを室内の壁面等の被保護面に第１粘着剤層１１を介して貼付ける。これにより養生パネルが被保護面に第１粘着剤層１１により再剥離可能に貼付けられる。そして、室内の壁面等の被保護面が養生パネルにより保護されるので、引っ越し時等において被保護面が搬送中の家具等により傷付くことはない。
【００１８】
引っ越し等が完了すると、養生パネルを被保護面から剥がす。このとき、第１粘着剤層１１の粘着力が弱いので、養生パネルを被保護面から比較的容易に剥がすことができる。また、養生パネルを被保護面から引き剥がすとき、第１粘着剤層１１の粘着剤が全てプラスチックシート１３に付着し、第１粘着剤層１１の粘着剤が被保護面に残らないので、被保護面を第１粘着剤層１１の粘着剤で汚すことはない。なお、養生パネルの裏面に第２粘着剤層１２を介して貼付けられた粘着テープ１０を引き剥がすのは困難であるけれども、養生パネルの裏面に露出する第１粘着剤層１１の粘着力は弱いので、複数の養生パネルを重ねて第１粘着剤層１１により一時的に接着しておけば、複数枚の養生パネルの搬送及び保管が容易になるとともに、養生パネルを別の現場の被保護面に第１粘着剤層１１により一時的に貼付けることができる。また、上記第１粘着剤層１１の粘着力がゴミの付着等により極めて弱くなった場合には、新しい粘着テープ１０を古い粘着テープ１０の上に第２粘着剤層１２を介して貼付ければよい。
【００１９】
なお、上記実施の形態では、離型紙を第１粘着剤層の表面に剥離可能に積層接着したが、離型紙を第２粘着剤層の表面に剥離可能に積層接着してもよい。更に、上記実施の形態では、被貼付面として被保護面を挙げ、貼付物として養生パネルを挙げたが、被貼付面が壁面であり、貼付物が壁紙であってもよい。これは、賃貸住宅において、賃借人が希望する壁紙を部屋の壁面に貼る場合に適する。具体的には、粘着テープを第２粘着剤層を介して壁紙の裏面に再剥離不能に貼付けた後に、壁面に第１粘着剤層を介して壁紙を再剥離可能に貼付ける。これにより、室内の壁面が賃借人の希望する模様になり、賃借人は部屋で快適に過ごせる。そして、賃借人が賃貸住宅から退去するときに、壁紙を壁面から剥がすと、第１粘着剤層の粘着剤が壁面に残らないので、壁面を第１粘着剤層の粘着剤で汚すことはない。この結果、部屋の原状回復費用を軽減できる。
【符号の説明】
【００２０】
１０  養生用両面粘着テープ
１１  第１粘着剤層
１２  第２粘着剤層
１３  プラスチックシート
１４  離型紙
１５  積層体
１６  巻き芯
【図１】
0003214591.tif 000003
【図２】
0003214591.tif 000004